(57)【要約】      （修正有）【課題】仮設トイレの便器の交換に際して、トイレのボックス内において行う作業を軽減する。共用できる部品は共用して、保管する部品点数を少なくする。【解決手段】後壁４の下端に開口８を形成し、開口８にステップ３の裏面を構成する背面パネル１１を着脱自在に嵌挿して前記後壁の一部となす。同時に、フロアパネル２及びステップ３を開口８を通して後方に取出し又は内部に装入可能とする。ステップ３は背面パネル１１、ステップパネル１２及び前面パネル１３で構成され、フロアパネル２とともにブロー成形により一体成形される。４つのパネルは各々薄肉のヒンジを介して一体に連接され、該ヒンジの箇所において屈曲及び平らに展開可能とされる。【選択図】図１
2005232674.tif 000002
【特許請求の範囲】
【請求項１】
便槽の上に平らなフロアパネルとステップ及び便器を置き、その周囲を前面ドア付きの四角いボックスで囲繞した仮設トイレにおいて、前記ボックスの後壁の下端に開口を形成し、該開口に前記ステップの裏面を構成する背面パネルを着脱自在に嵌挿して前記後壁の一部となし、かつ、前記フロアパネル及びステップを前記開口を通してボックス内から後方に取出し又はボックス内に装入可能としたことを特徴とする仮設トイレ。
【請求項２】
前記フロアパネルと前記ステップの背面パネルをブロー成形により一体成形したことを特徴とする請求項１に記載された仮設トイレ。
【請求項３】
前記フロアパネルと前記ステップの背面パネルを薄肉のヒンジを介して一体に連接し、該ヒンジの箇所において屈曲及び展開可能としたことを特徴とする請求項２に記載された仮設トイレ。
【請求項４】
前記フロアパネルに和式便器と便槽を連通させる穴及び男子小便器と便槽を連通させる穴を形成したことを特徴とする請求項２又は３に記載された仮設トイレ。
【請求項５】
前記ステップを前記背面パネルと便器が設置されるステップパネルを含む複数個のパネルで構成するとともに、前記フロアパネルと前記ステップの各パネルをブロー成形により一体成形して、少なくとも前記背面パネルとステップパネルを薄肉のヒンジを介して一体に連接し、該ヒンジの箇所において屈曲及び展開可能としたことを特徴とする請求項１に記載された仮設トイレ。
【請求項６】
さらに、前記フロアパネルと前記背面パネルを薄肉のヒンジを介して一体に連接し、かつ前記ステップを構成する全てのパネルを薄肉のヒンジを介して一体に連接し、該ヒンジの箇所において屈曲及び展開可能としたことを特徴とする請求項５に記載された仮設トイレ。
【請求項７】
前記ステップを前記背面パネル、ステップパネル及び前面パネルで構成したことを特徴とする請求項５又は６に記載された仮設トイレ。
【請求項８】
前記ステップパネルに和式便器の取付穴を形成し、前記フロアパネルに和式便器と便槽を連通させる穴及び男子小便器と便槽を連通させる穴を形成したことを特徴とする請求項５〜７のいずれかに記載された仮設トイレ。
【発明の詳細な説明】
【技術分野】
【０００１】
本発明は、土木建築現場や公園、イベントの開催場所等に仮設置される仮設トイレに関する。
【背景技術】
【０００２】
仮設トイレは、下記特許文献１〜３に示すように、便槽の上に平らなフロアパネルとステップ及び便器を置き、その周囲を前面ドア付きの四角いボックスで囲繞している。一般的には、汎用性のある和式便器を設置した仮設トイレが使用されているが、まれに和式便器の代わりに男子小便器や洋式便器を設置したもの、あるいはトイレとしてではない使用、例えばボックス内に手洗い器のみを設置したものや、シャワー設備を設置したものが求められることがある。
【０００３】
【特許文献１】特開平７−２９２７５０号公報
【特許文献２】特開平８−２４１６０号公報
【特許文献３】特開平８−８４６８７号公報
【発明の開示】
【発明が解決しようとする課題】
【０００４】
和式便器以外の注文は少ないため、仮設トイレのレンタル業者は、通常、和式便器以外の便器等を設置した仮設トイレを完成した形で用意しておくことはほとんどなく、注文があったときに、便器等の交換を行うようにしている。便器等の交換に当たっては、例えば和式便器を男子小便器に交換するのであれば、ボックスの中に入って和式便器とステップを取り外し、小便器を取り付ける。逆に、和式便器に戻すときは、小便器を取り外し、和式便器用ステップ及び和式便器をボックス内に持ち込み、取り付け作業を行う。いずれにしても、狭いボックス内において取り付け作業を行わなくてはならない。
また、上記の例でも、取り外した和式便器は専用の和式便器用ステップとともに保管しておかなくてはならないし、各種便器や手洗い器等の各々に対応して異なるフロアパネル又はステップを用意した場合、種々の要求に対応しようとすれば、保管する部品点数が多くなるという問題もあった。
【０００５】
本発明は、このような従来の仮設トイレの問題点に鑑みてなされたもので、ボックス内において行う作業を軽減することを主たる目的とする。また、共用できる部品は共用して、保管する部品点数を少なくすることを他の目的とする。
【課題を解決するための手段】
【０００６】
本発明は、便槽の上に平らなフロアパネルとステップ及び便器を置き、その周囲を前面ドア付きの四角いボックスで囲繞した仮設トイレにおいて、前記ボックスの後壁の下端に開口を形成し、該開口に前記ステップの背面を構成する背面パネルを着脱自在に嵌挿して前記後壁の一部となし、かつ、前記フロアパネル及びステップを前記開口を通してボックス内から後方に取出し又はボックス内に装入可能としたことを特徴とする。この仮設トイレにおいて、フロアパネルとステップの背面パネルは各種用途において共用部品とすることができる。
【０００７】
この仮設トイレにおいて、フロアパネルとステップの構造は種々の形態をとることができ、例えば、前記フロアパネルと前記ステップの背面パネルをブロー成形により一体成形する。このとき、フロアパネルと背面パネルを薄肉のヒンジを介して一体に連接し、該ヒンジの箇所において屈曲及び展開可能とすることができる。また、ステップを構成する背面パネル以外の部材は、フロアパネル又は／及び背面パネルに対して着脱自在とする。
あるいは、前記ステップを前記背面パネルと便器が設置されるステップパネルを含む複数個のパネルで構成するとともに、前記フロアパネルと前記ステップの各パネルをブロー成形により一体成形して、少なくとも前記背面パネルとステップパネルを薄肉のヒンジを介して一体に連接し、該ヒンジの箇所において屈曲及び展開可能とする。この場合、さらに、前記フロアパネルと前記背面パネルを薄肉のヒンジを介して一体に連接し、かつ前記ステップを構成する全てのパネルを薄肉のヒンジを介して一体に連接し、該ヒンジの箇所において屈曲及び展開可能とすることができる。前記ステップパネルに和式便器の取付穴を形成し、前記フロアパネルに和式便器と便槽を連通させる穴及び男子小便器と便槽を連通させる穴を形成すれば、和式便器用の穴は洋式便器用にも用いることができ、男子小便器用穴は手洗い器用にも用いることができるなど、このフロアパネル及びステップは種々の用途に共用することができる。
【発明の効果】
【０００８】
本発明によれば、便器の交換等を行う場合において、ボックス内において行う作業を軽減することができる。また、フロアパネルとステップの背面パネルを各種用途の共用部品とすることができるので、保管する部品点数を減らすことができる。特に、フロアパネルとステップを全て一体成形した場合、部品点数を削減する効果が大きい。
【発明を実施するための最良の形態】
【０００９】
以下、図１〜図１０を参照して、本発明に係る簡易トイレについて説明する。
図１，２に示す簡易トイレは、便槽１と、その上に設置したフロアパネル２及びステップ３、その周囲を囲繞する後壁４、左右側壁５，６及びドア付きの前壁７、及び図示しない天井壁からなり、後壁４、左右側壁５，６、前壁７及び天井壁が四角いボックスを構成する。後壁４の下端には矩形の開口８が形成され、後壁４の下端近傍の背面側には窪み部９が形成されている。
フロアパネル２は平らなパネルからなり、ステップ３は背面パネル１１、ステップパネル１２及び前面パネル１３からなる。背面パネル１１と前面パネル１３はいずれもフロアパネル２に対して垂直であり、背面パネル１１は前記開口８に嵌挿され、ボックスの背面を閉鎖する意味において後壁４の一部をなしている。ステップパネル１２は水平で、ここに和式便器１４（図４参照）が設置される。
【００１０】
前記開口８の横幅は後壁４の幅と同じで、フロアパネル２とステップ３の幅はこれよりやや小さく、下端は便槽１の高さであり、上端はステップ３の高さよりやや高い位置にある。従って、フロアパネル２とステップ３は開口８から後方に取出し、又は後方からボックス内に装入可能となっている。  
フロアパネル２とステップ３はプラスチックのブロー成形により一体成形されたものであり、図３に示すように、フロアパネル２と背面パネル１１、背面パネル１１とステップパネル１２、ステップパネル１２と前面パネル１３は、いずれも薄肉のヒンジ１５を介して一体に連接し、ヒンジ１５の箇所において屈曲及び平らに展開可能である。また、フロアパネル２には便槽１に通じる穴１６，１７が形成され、ステップパネル１２には和式便器１４を収容する穴１８が形成されている。
【００１１】
ヒンジ１５の箇所では、パネルの一方の壁部を構成するプラスチックが他方の壁部に達して溶着し、一方の壁部から溶着部（ヒンジ１５）までが傾斜面２１，２２となっている。ヒンジ１５において９０度屈曲したとき隣接するパネルの傾斜面２１，２２が面接触するように、該傾斜面２１，２２は互いに略９０度の角度をなしている。なお、薄肉部（ヒンジ）によって２つの２重壁パネルを連接すること自体、ブロー成形の分野において周知である。
図１に示すように、各パネル２，１１〜１３は互いに９０度の角度で屈曲し、前面パネル１３の先端がフロアパネル２に固定されて、上記屈曲した形態を保持している。フロアパネル２及びステップ３は、この屈曲した形態で、開口８から矢印方向に出入り可能である。
【００１２】
図４は、ステップパネル１２の穴１８に和式便器１４を設置した状態を示す。この和式便器１４は、前壁７のドアからボックス内に持って入り、穴１８に設置する。和式便器１４の下端はフロアパネル２の穴１６に連通させる。この穴１６は便槽１に連通している。
図５，６は、和式便器１４に代えて男子小便器２３を設置した例である。このときは、まずステップ３から和式便器１４を取り外し、フロアパネル２とステップ３を開口８から引き出し、穴１６に蓋２４を被せ、ステップパネル１２と前面パネル１３を展開して、フロアパネル２と背面パネル１１のみを開口８から押し込み、ステップパネル１２と前面パネル１３は後壁４の背面に固定する。後壁４の窪み部９は、背面パネル１１を垂直に保った状態で、ステップパネル１２と前面パネル１３を後壁４に沿った状態で固定するために形成したものである。続いて、男子小便器２３を後壁４に固定し、その下端をフロアパネル２の穴１７に連通させる。この穴１７は便槽１に連通している。
【００１３】
一方、男子小便器２３を和式便器１４に交換するには、逆の行程をとればよい。いずれにしても、フロアパネル２とステップ３を開口８からボックス外に引き出し、又は押し込むことができるので、ボックス内での作業を大幅に削減することができる。
また、この例では、フロアパネル２と背面パネル１１を共用部品として利用することにより部品点数を削減できる。特に、フロアパネル２とステップ３の各パネル１１〜１３を一体的に成形して、男子小便器２３を取り付けたときはステップパネル１２と前面パネル１３を後壁４の背面に固定するようにしたので、和式便器用のステップ部品を別途保管する必要がない。さらに、仮にこのフロアパネル２とステップ３を保管する必要があった場合でも、平らに展開することにより狭いスペースに多数を保管することができる。
なお、ステップパネル１２と前面パネル１３を後壁４の背面に固定した状態で、洋式便器を設置したり（下端を穴１６に連通）、手洗い器を設置したり（下端を穴１７に連通）、シャワー設備を設置することもできる。
【００１４】
図７の例は、フロアパネル２と背面パネル１１をブロー成形により一体成形し、ステップパネル１２と前面パネル１３をブロー成形により一体成形し、背面パネル１１とステップパネル１２を固定し、前面パネル１３とフロアパネル２を固定して、フロアパネル２上にステップ３を組み付け、ステップパネル１２上に和式便器１４を設置したものである。和式便器１４に代えて男子小便器を設置する場合、和式便器１４を取り外し、フロアパネル２とステップ３を開口８から引き出し、ステップパネル１２と前面パネル１３を取り外し、穴１６に蓋２４を被せ、再びフロアパネル２と背面パネル１１を開口８を通して押し込み、図８に示すように男子小便器２３を設置する。
この例では、男子小便器を設置したときは、和式便器用のステップ部品（ステップパネル１２と前面パネル１３）を保管しておく必要があるが、フロアパネル２と背面パネル１１を共用部品として用いていることもあり、保管すべき部品点数は少なくて済む。
【００１５】
なお、この例では、フロアパネル２と背面パネル１１、ステップパネル１２と前面パネル１３は、それぞれ形状が定まったブロー成形品であったが、フロアパネル２と背面パネル１１の間又は／及びステップパネル１２と前面パネル１３の間を、前記のようなヒンジ１５で連接して、屈曲及び展開可能とすることもできる。
また、この例では、フロアパネル２と背面パネル１１の組が１つのブロー成形品とされ、ステップパネル１２と前面パネル１３の組が別のブロー成形品とされていたが、先の例と同様に、さらに背面パネル１１とステップパネル１２をヒンジで連接して、屈曲及び展開可能とすることもできる（この場合は、フロアパネル２とステップ３を一体的にブロー成形することになる）。そのときは、男子小便器を設置する場合、図５と同様に、ステップパネル１２と前面パネル１３を後壁４の背面に固定すればよい。
【００１６】
図９の例は、男子小便器２３のパイプ２５の途中に屈曲可能部位２６を形成し、取り出すときに前方に屈曲させ得るようにしたものである。これにより、男子小便器２３ごと、フロアパネル２とステップ３を開口８を通して引き出し、又は開口８を通して押し込むことができる。その他の点では、図８の例と同じである。
図１０の例は、後壁４のうち開口８に隣接する部分を、ヒンジ２７を介して開閉可能な可動後壁２８としたものである。この可動後壁２５は外側に開くので、和式便器１４ごと、フロアパネル２とステップ３を開口８を通して引き出し、又は開口８を通して押し込むことができる。その他の点では、図７の例と同じである。
【図面の簡単な説明】
【００１７】
【図１】本発明に係る仮設トイレの側面図（手前の側壁を除去）である。
【図２】その背面図である。
【図３】その仮設トイレに用いるフロアパネルとステップを構成するパネルの側面図（ａ）、平面図（ｂ）、そのＩ−Ｉ断面図（ｃ）、ＩＩ−ＩＩ断面図（ｄ）及びＩＩＩ−ＩＩＩ断面図（ｅ）である。
【図４】その仮設トイレに和式便器を設置したときの側面図（手前の側壁を除去）である。
【図５】その仮設トイレに男子小便器を設置したときの側面図（手前の側壁を除去）である。
【図６】その背面図である。
【図７】別の構造のフロアパネルとステップを用いて和式便器を設置した仮設トイレの側面図（手前の側壁を除去）である。
【図８】その仮設トイレに男子小便器を設置したときの側面図（手前の側壁を除去）である。
【図９】その仮設トイレに別の男子小便器を設置したときの側面図（手前の側壁を除去）である。
【図１０】別の後壁構造を有する仮設トイレの側面図（手前の側壁を除去）である。
【符号の説明】
【００１８】
１  便槽
２  フロアパネル
３  ステップ
４  後壁
５，６  側壁
７  前壁
８  開口
１１  背面パネル
１２  ステップパネル
１３  前面パネル
１４  和式便器
１５  ヒンジ
１６〜１８  穴
【図１】
2005232674.tif 000003
【図２】
2005232674.tif 000004
【図３】
2005232674.tif 000005
【図４】
2005232674.tif 000006
【図５】
2005232674.tif 000007
【図６】
2005232674.tif 000008
【図７】
2005232674.tif 000009
【図８】
2005232674.tif 000010
【図９】
2005232674.tif 000011
【図１０】
2005232674.tif 000012